(57)【特許請求の範囲】
【請求項１】
椅子の背凭れを支持する背支桿を座受部に揺動自在に取り付ける背支桿取付構造において、前記座受部に揺動自在に設けられた背支桿腕と、該背支桿腕と前記背支桿とを一体化して連結する背支桿支持軸とを備え、該背支桿支持軸は前記背支桿及び前記背支桿腕に形成された孔に嵌合するものとし、該孔の断面形状と前記背支桿支持軸の断面形状とを前記背支桿支持軸が前記孔に空転せずに挿入される形状としたことを特徴とする椅子の背支桿取付構造。
【請求項２】
前記背支桿支持軸は前記座受部の幅より長い１本の棒状物または前記座受部の幅よりも短い同軸上の２本の棒状物であると共に、前記座受部の左右側部から前記背支桿支持軸の先端部を突出した状態で該背支桿支持軸が軸方向に固定されることを特徴とする請求項１記載の椅子の背支桿取付構造。
【請求項３】
前記背支桿支持軸は前記座受部の幅より長い１本の棒状物または前記座受部の幅よりも短い同軸上の２本の棒状物から成ると共に前記座受部に対して軸方向に摺動可能であり、前記背支桿支持軸の先端部が前記座受部の左右側部から突出して前記背支桿に挿入された時に前記背支桿支持軸を軸方向に固定する固定手段を設けたことを特徴とする請求項１記載の椅子の背支桿取付構造。
【発明の詳細な説明】
【０００１】
【発明の属する技術分野】
本発明は、椅子の座受部に背支桿を取り付ける背支桿取付構造に関する。更に詳述すると、本発明は、座受部を共用可能とする椅子の背支桿取付構造に関する。
【０００２】
【従来の技術】
背凭れを有する回転椅子等では、背凭れを支持する背支桿と、背支桿を支持する座受部と、座受部を支持する脚部と、座受部に取り付けられる座部とが備えられている。このように背凭れや座部等の各構成部材を組み合わせて完成品とする椅子では、各構成部材の形状や色等のデザインは椅子の全体のデザインを考慮して設計されている。
【０００３】
【発明が解決しようとする課題】
しかしながら、上述した椅子では、完成品である椅子の全体のデザインを考慮して座部、背凭れ及び脚部の各構成部材がこれらの取付構造を含めて設計・デザインされるので、各構成部材は言うに及ばずパーツ座受部と背支桿との取付構造も椅子の固有のデザイン毎に固有の構造となってしまう。すなわち、あるデザインの椅子の背凭れや背支桿を、他のデザインの椅子の背凭れや背支桿として組み付けることは極めて困難である。このため、椅子のデザインの数だけ、脚部や座部、背凭れの他これらを組み付ける座受部や背支桿なども必要となり、構成部材の共用による部品コストの低減を図ることができない。
【０００４】
そこで、本発明は、異なるデザインの背支桿及び背凭れを共通の座受部に取り付けることができる椅子の背支桿取付構造を提供することを目的とする。
【０００５】
【課題を解決するための手段】
かかる目的を達成するため、請求項１の発明は、椅子の背凭れを支持する背支桿を座受部に揺動自在に取り付ける背支桿取付構造において、座受部に揺動自在に設けられた背支桿腕と、背支桿腕と背支桿とを一体化して連結する背支桿支持軸とを備え、背支桿支持軸は背支桿及び背支桿腕に形成された孔に嵌合するものとし、孔の断面形状と背支桿支持軸の断面形状とを背支桿支持軸が孔に空転せずに挿入される形状とするようにしている。
【０００６】
したがって、座受部と背支桿とは背支桿腕を介して背支桿支持軸により結合されるので、この背支桿支持軸の形状や寸法の共通化により座受部に対して多様なデザインの背凭れが取り付けられる。すなわち、あるデザインの座部及び座受部に対して、他の複数のデザインの背凭れ及び背支桿の取り付けが行われる。
【０００８】
さらに、椅子に着座した者が背凭れに荷重を掛けることにより、背支桿及び背支桿腕の孔と背支桿支持軸との間にトルクが発生するが、トルクは孔の内面と背支桿支持軸の外面との間で支えられ、背支桿及び座受部に設けられた背支桿腕と背支桿支持軸とは空転しない。
【０００９】
また、請求項２の背支桿取付構造は、背支桿支持軸は座受部の幅より長い１本の棒状物または座受部の幅よりも短い同軸上の２本の棒状物であると共に、座受部の左右側部から背支桿支持軸の先端部を突出した状態で該背支桿支持軸が軸方向に固定されている。したがって、背支桿支持軸は座受部から抜け落ちることがないので、背支桿との結合が確実なものとなる。
【００１０】
また、請求項３の背支桿取付構造は、背支桿支持軸は座受部の幅より長い１本の棒状物または座受部の幅よりも短い同軸上の２本の棒状物から成ると共に座受部に対して軸方向に摺動可能であり、背支桿支持軸の先端部が座受部の左右側部から突出して背支桿に挿入された時に背支桿支持軸を軸方向に固定する固定手段を設けている。
【００１１】
したがって、背支桿を座受部に組み付ける際は、座受部に対して背支桿を取付位置に位置させ、背支桿支持軸を軸方向に摺動させて座受部と背支桿とを連結する。このため、左右の背支桿の間隔は組付作業の前後で変化させる必要はない。すなわち、背支桿及び背凭れは組み上がった状態でそのまま座受部に取り付けられる。また、固定手段を備えているので、背支桿支持軸が軸方向に抜け落ちることが防止される。
【００１２】
【発明の実施の形態】
以下、本発明の構成を図面に示す実施の形態の一例に基づいて詳細に説明する。第１の実施形態は、座受部と座部とが連動する椅子の背支桿取り付け構造について説明している。図１に示すように、椅子の背凭れ１を支持する背支桿２を座受部３に取り付ける背支桿取付構造において、椅子の左右方向を軸方向とする背支桿支持軸４を座受部３に設け、背支桿支持軸４の両端部に背支桿２を嵌合させている。
【００１３】
図２から図４に示すように、座受部３は、座部５を支持する座受金具８と、この座受金具８及び背支桿２を各々揺動自在に支持して脚柱６に取り付けられる脚側固定部材（以下、支持金具と呼ぶ）７と、座部５と背凭れ１を原位置に復帰させる反力を付与する反力ユニット９と、座受金具８及び支持金具７の間を連結するリンク機構３３とから主に構成されている。座受金具８と支持金具７とは前方においてピン継手で互いに揺動可能に連結されると共に後方においてリンク機構３３によって連結されている。
【００１４】
リンク機構３３は、本実施形態の場合、互いに揺動可能にピン継手で連結された第１及び第２の２枚のリンク３４，３５から成り、各リンク３４，３５が一直線に延びた状態で鉛直に配置されるようにして座受金具８と支持金具７とにそれぞれピン継手で互いに揺動可能に取り付けられている。更に、このリンク機構３３は、構成リンクの一方例えば第２のリンク３５と背支桿２とが背支桿リンク３６及び背支桿腕３７で互いに揺動可能に連結されると共に第２のリンク３５と反力ユニット９も連結され、背支桿２と同一回転方向にリンク機構３３が屈曲するように設けられている。これによって、リンク機構３３は、背凭れ１に荷重が掛かっていないときには死点を構成して座部５にかかる荷重を支持すると共に背凭れ１に荷重が掛かるときには背支桿２と連動して死点が解除されて屈曲し座部５を背凭れ１の傾動と連動させて傾斜させるように設けられている。ここで、背支桿２は背支桿腕３７を介して背支桿リンク３６と回転自在に連結されている。また、反力ユニット９としては、圧縮コイルスプリングを反力発生源としたものが採用され、支持金具７の前端での固定位置を回転によって移動させる初圧調整機構３８が備えられている。
【００１５】
座受金具８は、長方形の取付板８ａと該取付板８ａの左右両側縁が直角に折り曲げられた軸支持板８ｂ，８ｂとにより構成されている。取付板８ａの上側には、座部２の座板がボルト３９，３９によりねじ止めされている。また、各軸支持板８ｂ，８ｂの前後部には、軸支持孔８ｃ，８ｄが形成されている。ここで、後側の軸支持孔８ｄには、第１のリンク３４が取り付けられている。各第１のリンク３４，３４は、各軸支持板８ｂ，８ｂのそれぞれ内側に位置すると共に、各軸支持板８ｂ，８ｂを貫通する第１リンク軸４０により回転可能に取り付けられている。
【００１６】
支持金具７は、前後を長手方向とする４枚の垂直板７ａ，７ａ，７ｂ，７ｂを有している。各垂直板７ａ，７ａ，７ｂ，７ｂの隣り合ったもの同士は、連結板７ｉにより連結されている。さらに、中央の２枚の垂直板７ａ，７ａの前端部は、ほぼ水平な連結板７ｃにより連結されている。また、中央の２枚の垂直板７ａ，７ａは、両端の２枚の垂直板７ｂ，７ｂより後部を短くして形成されている。そして、中央の２枚の垂直板７ａ，７ａの後方には、脚柱６の上端部を収容する円筒部７ｄが形成されている。
【００１７】
支持金具７の前部と中央部とには、４枚の垂直板７ａ，７ａ，７ｂ，７ｂを通過する水平な軸支持孔７ｅ，７ｆが形成されている。ここで、支持金具７の前部は、座受金具８の各軸支持板８ｂ，８ｂの間に収容されている。そして、座受金具８の前側の軸支持孔８ｃと支持金具７の前側の軸支持孔７ｅとには、前固定軸４１が貫通して取り付けられている。このため、座受金具８及び座部５は、前固定軸４１を中心に揺動可能とされている。
【００１８】
支持金具７の中央部の軸支持孔７ｆには、昇降レバー４２が回転可能に取り付けられている。該昇降レバー４２の中央部の軸支持孔と支持金具７の中央部の軸支持孔７ｆとを貫通して、後固定軸４３が設けられている。また、昇降レバー４２は、中央の垂直板７ａと隣り合う端の垂直板７ｂとの間に位置している。ここで、昇降レバー４２の後端部は、昇降レバー４２の揺動により脚柱６の上端部のガススプリングに係合可能とされている。また、昇降レバー４２の前端部には、該先端部を引き上げるワイヤ４４の一端部が係合されている。このため、ワイヤ４４の他端部に取り付けられた図示しない操作レバーの操作により、脚柱６のガススプリングが伸縮可能となる。
【００１９】
また、支持金具７の両端の２枚の垂直板７ｂ，７ｂの後端部には、背支桿支持孔７ｇ，７ｇが形成されている。各背支桿支持孔７ｇ，７ｇには、断面六角形の透孔を有する回転板４５が回転可能に嵌合されている。各回転板４５，４５の外側にはフランジ部が形成されている。このフランジ部は各背支桿支持孔７ｇ，７ｇの縁に接し、各回転板４５，４５の内側への脱落を防止している。また、各フランジ部の外側には背支桿腕３７が接している。各背支桿腕３７，３７には、回転板４５の透孔と等しい大きさの断面六角形の透孔から成る保持孔３７ａ，３７ａが形成されている。
【００２０】
また、支持金具７の垂直板７ｂ，７ｂの後端部には、リンク機構３３が伸ばされて図２に示す死点を構成する位置に移されたときに背支桿腕３７と当接してそれ以上背支桿腕３７が後方へ移動しないように（図２で反時計回転方向へ回転しないように）規制してリンク機構３３がくの字形に折れ曲がらないようにするストッパ７ｊが設けられている。このストッパ７ｊには反力ユニット９の力を受けて背支桿腕３７が押し当てられる。したがって、背支桿腕３７の後方への移動の規制は、反力が与えられつつ行われるので、背支桿２のがたつきが防止できる。
【００２１】
さらに、各背支桿腕３７，３７の保持孔３７ａ，３７ａと各回転板４５，４５の透孔とを貫通して、断面六角形の背支桿支持軸４が嵌合されている。背支桿支持軸４は、各背支桿腕３７，３７よりも左右に突出されている。背支桿支持軸４の断面の大きさは、背支桿腕３７の保持孔３７ａ及び回転板４５の透孔の断面より僅かに小さいものとされている。そして、各背支桿腕３７，３７には、その外周面から保持孔３７ａ，３７ａの内部に貫通するねじ孔３７ｂ，３７ｂが穿孔されている。各ねじ孔３７ｂ，３７ｂには、埋め込みボルト５９がねじ止めされている。この植え込みボルト５９が締め付けられることにより、背支桿支持軸４が背支桿腕３７の保持孔３７ａの内面に押しつけられる。これにより、背支桿支持軸４の抜け落ちが防止される。
【００２２】
背支桿支持軸４の両端部には、背支桿２の前端部の支持孔２ａが嵌合されている。この支持孔２ａは、断面六角形で左右方向を長手方向とし椅子の中心側に開口されている。支持孔２ａの底部は外部に貫通せずに塞がれている。また、支持孔２ａの断面の大きさは、背支桿腕３７の保持孔３７ａ及び回転板４５の透孔の断面の大きさと等しくされている。これにより、各回転板４５，４５及び各背支桿腕３７，３７と背支桿支持軸４と背支桿２，２とは、滑りを生ずることなく一体化して支持金具７に対して回転される。
【００２３】
ここで、各背支桿２，２を背支桿支持軸４に取り付ける際は、座受部３に背支桿支持軸４を組み付けて背凭れ１も組み立ててから左右の背支桿２，２同士の間隔を広げるように弾性変形させ、各支持孔２ａ，２ａを背支桿支持軸４の両端部に嵌合させる。また、この取付方法に限らず、背凭れ１を組み立てる前に左右の背支桿２，２の支持孔２ａ，２ａを別々に背支桿支持軸４の両端部に嵌合させてから背凭れ１を組み立てても構わない。
【００２４】
本実施形態では、各背支桿腕３７，３７の保持孔３７ａ，３７ａ及び各背支桿２，２の支持孔２ａ，２ａの内面と背支桿支持軸４の外周面との接触面は六面有るので、比較的多くの面を接触させて回転を伝達することができる。このため、接触辺の１本当たりの負荷が小さくなり、各背支桿腕３７，３７と背支桿支持軸４と背支桿２，２との一体化の確実性が向上し、また各部材の摩耗を抑制して長寿命化することができる。
【００２５】
なお、本実施形態では、各背支桿腕３７，３７の保持孔３７ａ，３７ａ及び各回転板４５，４５の透孔及び各背支桿２，２の支持孔２ａ，２ａの断面形状や背支桿支持軸４の断面形状を六角形としたが、これに特に限られず四角形や八角形などの他の多角形あるいは楕円形や半円形でも構わない。また、本実施形態では設けていないが、背支桿２の前端部の支持孔２ａが形成された筒部の外周面から該支持孔２ａまで貫通するねじ孔を形成し、このねじ孔にボルトを螺合させて背支桿支持軸４を支持孔２ａの内面に押し付けるようにしても構わない。この場合、伝達可能なトルクが大きくなると共に軸方向への滑りが防止される。
【００２６】
さらに、本実施形態では、各背支桿腕３７，３７の保持孔３７ａ，３７ａ及び各背支桿２，２の支持孔２ａ，２ａの断面形状や背支桿支持軸４の断面形状が真円形状でないことと回り止めのボルト５９を螺合させたこととにより背凭れ１の揺動のトルクを座受部３に伝達しているが、これに限らず各背支桿腕３７，３７の保持孔３７ａ，３７ａ及び各背支桿２，２の支持孔２ａ，２ａの断面形状や背支桿支持軸４の断面形状を真円形状として背支桿支持軸４の回り止めのピンを各背支桿腕３７，３７の保持孔３７ａ，３７ａ及び各背支桿２，２の支持孔２ａ，２ａの外周面から背支桿支持軸４を貫通して反対側の外周面に至るよう嵌合させても構わない。
【００２７】
また、背支桿腕３７の先端部には、背支桿リンク３６がピン４６及びＥリング４７により回転可能に取り付けられている。
【００２８】
一方、第２のリンク３５は、ほぼ三角形の板状で、中央部と２つの角部とに軸支持孔３５ａ，３５ｂ，３５ｃが形成され、残りの１つの角部に軸止ピン３５ｄが設けられている。第２のリンク３５は、支持金具７の両端の２枚の垂直板７ｂ，７ｂの外側にそれぞれ配置されている。そして、各第２のリンク３５，３５の中央部の軸支持孔３５ａは、後固定軸４３に取り付けられている。また、各第２のリンク３５，３５は、各第１のリンク３４，３４の外側に位置している。そして、各第２のリンク３５，３５の上部の軸支持孔３５ｂと各第１のリンク３４，３４の下側の軸支持孔とを貫通して、座部支持軸４８が取り付けられている。この座部支持軸４８は支持金具７の上方で移動可能とされている。
【００２９】
この可動範囲の後端部に位置する支持金具７の一部には、上方に突出したストッパ７ｈ，７ｈが形成されている。このため、第２のリンク３５が後固定軸４３を中心に図２中時計回転方向に揺動すると、座部支持軸４８がストッパ７ｈに当接する。これにより、第２のリンク３５はそれ以上回転できなくなる。即ち、リンク機構３３の第２のリンク３５がそれ以上後方へ倒れるのを規制して、反力ユニット９に荷重負担を掛けないように設けられている。しかし、場合によっては、反力ユニット９の端部部材４９，５０が突き当たることによってそれ以上第２のリンク３５が回動しないように設けることも可能である。なお、本実施形態では、座部５及び背凭れ１の傾斜角度の比は例えば１：２．５程度とされている。そして、座部５の最大傾斜角度は例えば６度、背凭れ１の最大傾斜角度は例えば１５度とされている。
【００３０】
さらに、座部５及び背凭れ１が原位置にある静止状態では、各第１のリンク３４，３４及び各第２のリンク３５，３５を相互に揺動自在に連結する３本の軸すなわち第１のリンク軸４０と座部支持軸４８と後固定軸４３とは、１本の鉛直線上に配置されている。この時、リンク機構３３は死点を構成している。このため、リンク機構３３は、着座により座部５に作用する鉛直な荷重を同じく鉛直に配置した突っ支え棒として支持することができる。このとき、背凭れ１の動きに対して座部５が遅れなくスムーズに追従することができる。
【００３１】
また、反力ユニット９は、摺動軸５１により案内されて間隔を変更可能な基端部材４９及び先端部材５０と、各端部部材４９，５０の間に介在する圧縮コイルばね５２とを備えている。基端部材４９と先端部材５０とは圧縮コイルばね５２が圧縮されるときに座屈しないように保持すると共にある程度以上は圧縮されないようにして背凭れ１の傾動を規制する機能を有する。このため、各端部部材４９，５０同士を近接させる力が加わると、圧縮コイルばね５２が圧縮される。そして、反力ユニット９は、支持金具７の中央の２枚の垂直板７ａ，７ａの間に位置している。この反力ユニット９の基端部材４９は、各第２のリンク３５の下部の軸支持孔３５ｃに支持軸５３により取り付けられている。
【００３２】
本実施形態では、反力ユニット９のみにより背凭れ１及び座部５を復起させているが、これに限らず復起のための補助ばねを設けても構わない。例えば、図２の想像線で示すように、支持金具７と座受金具８との間に圧縮コイルばねから成る補助ばね９’を鉛直に設けることができる。この場合、座部５の荷重は反力ユニット９の他に補助ばね９’によっても支持されるので、座部荷重が大きくても背凭れ１及び座部２を容易に復起させることができる。
【００３３】
一方、初圧調整機構３８は、反力ユニット９の先端部材５０が取り付けられたばね支持リンク５４と、該ばね支持リンク５４に係合する押さえピン５５と、押さえピン５５の位置を調整する操作ノブ５６とを備えている。ばね支持リンク５４の上下部には、水平な軸支持孔５４ａ，５４ｂが形成されている。ばね支持リンク５４の前部には、上側が開放された係合凹部５４ｃが形成されている。ばね支持リンク５４の上部の軸支持孔５４ａは、前固定軸４１の中央部に回転可能に取り付けられている。ばね支持リンク５４の下部の軸支持孔５４ｂには、反力ユニット９の先端部材５０がピン５７により回転可能に取り付けられている。このため、ばね支持リンク５４は、反力ユニット９により前固定軸４１を中心に図中時計回転方向に付勢されている。
【００３４】
また、ばね支持リンク５４の係合凹部５４ｃには、押さえピン５５の両端部が係合されている。押さえピン５５の中央部には、その軸方向と直交して貫通するねじ孔５５ａが形成されている。一方、操作ノブ５６は、支持金具７の前端部の連結板７ｃに形成された透孔に回転可能に取り付けられ、樹脂製のスラストワッシャ５８により脱落しないよう止着されている。このため、スラストワッシャ５８がベアリングとして機能するので、操作ノブ５６の回転に必要なトルクを低減することができる。さらに、操作ノブ５６の先端部には、ねじ部５６ａが形成されている。このねじ部５６ａは、押さえピン５５のねじ孔５５ａに螺合されている。
【００３５】
ここで、ばね支持リンク５４は反力ユニット９により付勢されているので、その係合凹部５４ｃは押さえピン５５を押し上げて操作ノブ５６を引っ張り上げる方向に付勢する。これに対し、操作ノブ５６は連結板７ｃに係合しているので上方に移動できない。このため、押さえピン５５は移動せず、ばね支持リンク５４の回動が制限される。また、操作ノブ５６を回転すると、ねじ部５６ａに螺合する押さえピン５５が上下に移動する。これにより、連結板７ｃと押さえピン５５との間隔が変化するので、ばね支持リンク５４の設置角度が変化する。このため、反力ユニット９の長さが調整されるので、圧縮に必要なばね力が変化する。これにより、背凭れ１を傾斜させるために必要な荷重の大きさを調整することができる。
【００３６】
なお、本実施形態では座受部３を背凭れ１と座部５とが連動して傾斜する構造としたが、これに限らず背凭れ１のみが傾斜可能な構造としても構わない。
【００３７】
図１に示すように、背支桿２の後端部には、支持板１４がほぼ垂直に溶接により取り付けられている。左右の背支桿２，２の支持板１４，１４は、ほぼ全体を互いに重ねてねじ止めされている。ここで、前側の支持板１４が後側の支持板１４の背支桿２に干渉しないように、前側の支持板１４には切り欠きが形成されている。各支持板１４，１４が互いにねじ止めされることにより、左右の支持孔２ａ，２ａの間隔が広がってしまうことはないので、各背支桿２，２が背支桿支持軸４から外れて落ちてしまうことが防止される。
【００３８】
また、背凭れ１は、インナーシェル１０と、該インナーシェル１０の後側を覆い隠すアウターシェル１１と、該アウターシェル１１の前面の下部を覆い隠す前カバー１２と、背凭れ昇降機構１３とを備えている。インナーシェル１０の前側には、スポンジやウレタン等から成るクッションが取り付けられている。そして、クッションの前側には、布等から成る上張地がクッションに覆い被さるように張られている。インナーシェル１０とアウターシェル１１との組付けは、インナーシェル１０の係合孔１０ａとアウターシェル１１の係合爪１１ａとの掛止めによりなされている。但し、これに限らずボルト等のねじ止めにより組み付けても構わない。
【００３９】
さらに、各支持板１４，１４には、背凭れ１の背凭れ昇降機構１３が取り付けられている。また、これら支持板１４，１４と背凭れ昇降機構１３とは、前カバー１２により覆い隠されている。前カバー１２の下部には、縦長の切り欠き１２ａ，１２ａが形成されている。そして、背支桿２，２が、各切り欠き１２ａ，１２ａを通して背凭れ１の前面から前方に突出されている。
【００４０】
図１及び図５に示すように、背凭れ昇降機構１３は、支持板１４，１４に対して昇降可能なスライド板１５と、アウターシェル１１に対して摺動可能な操作レバー１６と、係合ピン１７と、戻りばね１８と、左ロック腕２２及び右ロック腕２１と、ロックピン２８，２８とを備えている。スライド板１５の左右縁部は内側に折り曲げられて案内部１５ａ，１５ａを構成している。各案内部１５ａ，１５ａには、案内レール１９，１９が取り付けられている。各支持板１４，１４の左右縁部は、各案内レール１９，１９により支持される。これにより、スライド板１５は、各支持板１４，１４に沿って上下方向に案内される。スライド板１５は、アウターシェル１１の下部に４箇所のボルト２０によりねじ止めされている。
【００４１】
操作レバー１６は、中央部の透孔１６ａと、上端部のストッパ１６ｂと、下端部のノブ取付部１６ｃと、ストッパ１６ｂ及びノブ取付部１６ｃの間の側端が面取りされた係合辺１６ｄとを備えている。一方、アウターシェル１１の前面の下部には、２対の支持突起１１ｂ，１１ｂがアウターシェル１１と一体成形により形成されている。各対の支持突起１１ｂ，１１ｂの向き合った面には、上下方向を長手方向とする案内溝が形成されている。この案内溝に操作レバー１６の側部の係合辺１６ｄ，１６ｄが挟持される。これにより、操作レバー１６はアウターシェル１１に対して上下方向に摺動可能に支持されている。また、ノブ取付部１６ｃには、操作ノブ２５が嵌合により取り付けられている。
【００４２】
操作レバー１６の透孔１６ａには、係合ピン１７が係合されている。係合ピン１７は、右ロック腕２１の基端部と一体化されている。この係合ピン１７に左ロック腕２２の基端部の透孔が回転可能に嵌合されている。また、左ロック腕２２及び右ロック腕２１の先端部には、ロックピン２８，２８が形成されている。各ロック腕２１，２２には、各ロックピン２８，２８が離隔するように戻りばね１８による付勢がなされている。
【００４３】
各ロックピン２８，２８の前部は、スライド板１５の透孔１５ｂ，１５ｂを貫通して背支桿２の支持板１４のロック溝２３ａまたは連通溝２３ｂに挿入されている。スライド板１５の各透孔１５ｂ，１５ｂは、横長形状とされている。ロック溝２３ａ，…，２３ａは、横長形状の溝で左右に対をなして上下方向に沿って複数形成されている。各連通溝２３ｂ，２３ｂは、各対のロック溝２３ａ，２３ａの内側を上下方向に連通する形状とされている。
【００４４】
一方、各ロックピン２８，２８の後部は、アウターシェル１１に形成された横長の透孔１１ｃ，１１ｃに挿入されている。また、アウターシェル１１の後側には、これらの透孔１１ｃ，１１ｃやスライド板１５を止着したボルト２０の先端部を覆い隠す小カバー２４，２４が取り付けられている。
【００４５】
上述した操作レバー１６を押し込まない状態では、各ロック腕２１，２２が開くので、各ロックピン２８，２８が離れていずれかのロック溝２３ａ，…，２３ａに係合する。この状態で、背凭れ１が背支桿２に対して固定されている。操作レバー１６の下端部の操作ノブ２５を押し上げると、係合ピン１７が押し上げられる。これにより、各ロックピン２８，２８が、スライド板１５の各透孔１５ｂ，１５ｂとアウターシェル１１の各透孔１１ｃ，１１ｃとに案内されて内側に移動する。これにより、そして、各ロックピン２８，２８が、ロック溝２３ａ，２３ａから連通溝２３ｂ，２３ｂに移動して上下方向に摺動可能となる。これにより、スライド板１５が支持板１４に対して昇降可能となるので、背凭れ１の上下方向の位置を調節することができる。そして、使用者は、操作レバー１６を押し込んだ状態で、背凭れ１を摺動させる。そして、操作レバー１６を解放することにより、戻りばね１８の作用で各ロックピン２８，２８が互いに離れる方向に移動していずれかのロック溝２３ａ，…，２３ａに係合する。これにより、背凭れ１の位置が設定される。
【００４６】
したがって、本実施形態では背凭れ１に背凭れ昇降機構１３を設けているので、座受部３に対する背凭れ１の位置を調整することができる。但し、これに限らず、背凭れ昇降機構１３を設けずに背凭れ１と背支桿２とを直接結合しても構わない。この場合、背凭れ１の構造を簡易化することができる。
【００４７】
上述した椅子を組み立てる際は、座受部３を組み立てながら背支桿支持軸４を各背支桿腕３７，３７の保持孔３７ａ，３７ａに挿入する。そして、埋め込みボルト５９，５９を締め付けて、背支桿支持軸４が座受部３の左右に突出した状態で抜け落ちないようにする。一方、背凭れ１を組み立てて、該背凭れ１の前方に背支桿２，２が突出した状態にする。そして、背支桿２，２同士の間隔を強制的に広げて弾性変形させ、各背支桿２，２の前端部の支持孔２ａ，２ａを背支桿支持軸４の両端部に嵌合させる。これにより、座受部３と背凭れ１とが結合される。
【００４８】
また、この組立方法に限らず、例えば背支桿支持軸４が座受部３の左右に突出した状態で埋め込みボルト５９，５９によりねじ止めし、背凭れ１の組立前の各背支桿２，２の支持孔２ａ，２ａを別個に背支桿支持軸４に嵌合させ、その後背凭れ１を組み立てても構わない。
【００４９】
本実施形態では、背支桿支持軸４を座受部３の左右に突出する長さの１本の棒状物としているが、これに限らず２本の比較的短い同軸上の棒状物としても構わない。この場合、座受部３を組み立てる際に各背支桿支持軸を座受部３の左右に突出するように各背支桿腕３７，３７に挿入させ、埋め込みボルト５９，５９により固定する。これにより、背支桿支持軸４が１本である場合と同様の方法で、背支桿支持軸の左右に突出した部分に背支桿２，２を嵌合して取り付けることができる。
【００５０】
また、背支桿支持軸が２本の棒状物から成る場合は、上述したように各背支桿支持軸に背支桿２，２を嵌合する前に各背支桿支持軸を埋め込みボルト５９，５９により固定しているが、これに限らず、各背支桿支持軸に背支桿２，２を嵌合する前に各背支桿支持軸を固定しなくても構わない。
【００５１】
例えば、座受部３の組立時に各背支桿支持軸を各背支桿腕３７，３７よりも外側に突出しないように埋め込みボルト５９，５９により仮止めしておき、その一方で背凭れ１を組み立てておく。そして、背支桿２，２を各背支桿腕３７，３７より外側の両側に位置させ、背支桿２，２の支持孔２ａ，２ａと各背支桿腕３７，３７の保持孔３７ａ，３７ａとを連続した状態にする。この状態で、各背支桿支持軸を外側に摺動させて、支持孔２ａ，２ａに挿入させる。ここで、背支桿支持軸を摺動させる手段としては、背支桿２，２の外部から背支桿支持軸を引っ張って摺動させる構造とするのが好ましい。具体的には、支持孔２ａ，２ａの底部に透孔を形成して、該支持孔２ａ，２ａの深さ方向に沿って外部に貫通させる。また、背支桿支持軸の端面にはねじ孔を形成しておく。そして、支持孔２ａ，２ａの底部の透孔から支持孔２ａ，２ａの内部に引きボルトを挿入し、支持孔２ａ，２ａを貫通させて背支桿支持軸の端面のねじ孔に螺合する。この状態で引きボルトを透孔から外側に引っ張って、背支桿支持軸を摺動させる。これにより、背支桿支持軸が支持孔２ａ，２ａに挿入される。そして、引きボルトを背支桿支持軸から取り外す。また、背支桿腕３７，３７の埋め込みボルト５９，５９を締め付けて、背支桿支持軸を固定して抜け落ちを防止する。これにより、背支桿支持軸により背支桿２，２と背凭れ１とが連結される。なお、背支桿支持軸の支持孔２ａ，２ａに形成された透孔は、キャップにより外側から塞ぐことが好ましい。
【００５２】
また、背支桿支持軸が座受部３の左右に突出する長さの１本の棒状物から成る場合であっても、背支桿支持軸に背支桿２，２を嵌合する前に背支桿支持軸を埋め込みボルト５９，５９により固定することに限らず、背支桿支持軸に背支桿２，２を嵌合する前に背支桿支持軸を固定しなくても構わない。
【００５３】
例えば、背支桿２，２の支持孔２ａ，２ａを貫通孔として、背支桿２，２を背支桿腕３７，３７の両方の外側に位置させておき、片方の支持孔２ａの外側の開口から背支桿支持軸を挿入して座受部３を貫通させ、反対側の支持孔２ａに到達させる。そして、背支桿支持軸を埋め込みボルト５９，５９で軸方向に固定すれば、背支桿２，２と背凭れ１とが連結される。なお、背支桿支持軸の支持孔２ａ，２ａの外側の開口は、キャップにより塞ぐことが好ましい。
【００５４】
次に、椅子の背支桿取付構造の第２の実施形態について説明する。図６に示すように、第２の実施形態の背凭れ１は、インナーシェル１０と、アウターシェル１１と、後カバーと、背凭れ昇降機構１３とを備えている。そして、本実施形態の座受部３と、背凭れ１の構成部品のうちインナーシェル１０とアウターシェル１１と背凭れ昇降機構１３とは、上述の第１の実施形態と同様の構造であるので、図中符号を同じくして説明を省略する。
【００５５】
本実施形態の背支桿２，２は、プラスチックによる射出成形により一体成形されている。この背支桿２，２の前部は、内側に曲折された形状とされている。曲折された部分の先端面には、左右方向を深さ方向とする支持孔２ａが形成されている。背支桿２の上部には、内側に突出した形状の支持板１４が一体成形されている。なお、本実施形態では、背支桿２と支持板１４とは一体成形されたものとしているが、これに限らず別体の支持板１４を背支桿２に対して接着・圧入等により一体化しても構わない。
【００５６】
支持板１４は、後カバー２６の前面にねじ止めされている。後カバー２６の前面の左右の側部には、縦長の案内溝２６ａが形成されている。アウターシェル１１の後面には、スライダ２７がねじ止めされている。このスライダ２７は、支持板１４の縦長の透孔１４ａを通過して後カバー２６の案内溝２６ａに嵌合されている。このため、アウターシェル１１及びスライダ２７は、後カバー２６及び背支桿２に対して上下方向に摺動可能とされている。
【００５７】
また、後カバー２６の中央部には、ロック溝２３ａ及び連通溝２３ｂが形成されている。このロック溝２３ａ及び連通溝２３ｂは、第１の実施形態と同様の形状とされている。さらに、ロックピン２８，２８の後部は、アウターシェル１１の横長の透孔１１ｃを通過して、後カバー２６のロック溝２３ａに係合されている。このため、操作レバー１６を押し上げることにより、ロックピン２８はアウターシェル１１の透孔１１ｃにより案内されて内側に移動する。
【００５８】
本実施形態によっても、第１の実施形態と同様の方法によって背支桿２，２を背支桿支持軸４により座受部３に取り付けることができる。
【００５９】
したがって、第１と第２の各実施形態によれば、座受部３を共用しながらも全く異なったデザインの背凭れ１を取り付けることができる。すなわち、これらの実施形態に示す椅子では、脚部６と座受部３と座部５とを共用しながら、この座受部３に複数の異なるデザインの背凭れ１及び背支桿２を取り付けることができる。このため、複数のデザインの椅子を製造する場合に座受部３のデザインの種類を削減することができ、生産効率を向上させると共に部品コストの低減を図ることができる。
【００６１】
【発明の効果】
以上の説明より明らかなように、請求項１の発明は、座受部に揺動自在に設けられた背支桿腕と、背支桿腕と背支桿とを一体化して連結する背支桿支持軸とを備え、背支桿支持軸は背支桿及び背支桿腕に形成された孔に嵌合するものとし、孔の断面形状と背支桿支持軸の断面形状とを背支桿支持軸が孔に空転せずに挿入される形状とするようにしているので、この背支桿支持軸と背支桿の背支桿支持軸に嵌合される部分の形状や寸法の共通化が可能となり、異なるデザインの座部と背凭れとを取り付けることが可能となる。即ち、座受部や座部や脚部を共通化し、これら共通化した構成部材に対して様々なデザインの背凭れ及び背支桿の取り付けを行うことができる。このため、生産効率を向上させると共に椅子の製作費を低減することができる。
【００６２】
また、椅子に着座した者が背凭れに荷重を掛けることにより、背支桿及び背支桿腕の孔と背支桿支持軸との間に発生したトルクを孔の内面と背支桿支持軸の外面との間で支えることができる。このため、ビスやピン等の別個の空転防止部材を設けることなく、背支桿及び座受部に設けられた背支桿腕と背支桿支持軸とは空転しない。これにより、椅子の組立工程を簡略化し、組立時間の短縮化を図ることができる。
【００６３】
さらに、請求項２の背支桿取付構造では、背支桿支持軸は座受部の幅より長い１本の棒状物または座受部の幅よりも短い同軸上の２本の棒状物であると共に、座受部の左右側部から背支桿支持軸の先端部を突出した状態で該背支桿支持軸が軸方向に固定されているので、背支桿支持軸は座受部から抜け落ちることがなく背支桿との結合を確実なものとすることができる。
【００６４】
また、請求項３の背支桿取付構造は、背支桿支持軸は座受部の幅より長い１本の棒状物または座受部の幅よりも短い同軸上の２本の棒状物から成ると共に座受部に対して軸方向に摺動可能であるので、背支桿を座受部に組み付ける際は、座受部に対して背支桿を取付位置に位置させ、背支桿支持軸を軸方向に摺動させて座受部と背支桿とを連結する。このため、左右の背支桿の間隔は組付作業の前後で変化させる必要はない。すなわち、背支桿及び背凭れを組み上がった状態で変形させることなくそのまま座受部に取り付けることができる。
【００６５】
さらに、背支桿支持軸の先端部が座受部の左右側部から突出して背支桿に嵌合された時に背支桿支持軸を軸方向に固定する固定手段を設けているので、背支桿支持軸が抜け落ちることを防止することができる。
【図面の簡単な説明】
【図１】  本発明の背支桿取付構造の第１の実施形態を示す背凭れ及び背支桿の分解斜視図である。
【図２】  座受部及び座部を示す側面図である。
【図３】  座受部を示す底面図である。
【図４】  座受部を示す分解斜視図である。
【図５】  背凭れ昇降機構を示す側面図である。
【図６】  本発明の背支桿取付構造の第２の実施形態を示す背凭れ及び背支桿の分解斜視図である。
【符号の説明】
１  背凭れ
２  背支桿
２ａ  支持孔
３  座受部
４  背支桿支持軸
２９  背支桿
２９ａ  支持孔
３０  背支桿支持軸
３１  座受部
３２  連結椅子
３７ａ  保持孔
５９  埋め込みボルト（固定手段）
【図１】
0003921260.tif 000002
【図２】
0003921260.tif 000003
【図３】
0003921260.tif 000004
【図４】
0003921260.tif 000005
【図５】
0003921260.tif 000006
【図６】
0003921260.tif 000007